(57)【要約】【課題】    構造簡単で、安価な捩じり運動健康器具を提供する。【解決手段】中心部を枢着軸１０のまわりに回転可能に支持されて底板９の上に配置された回転盤１１と、底部材１から立ち上げて設けられた支柱２の上部に上下位置を調節可能にねじ部材５によって位置決めして取り付けられるハンドル部６と、回転盤１１の上面に取付けられた一対の足つぼマット１２とを有している。回転盤１１は枢着軸１０のまわりに左右両方向に所定角度だけ回転可能にするストッパとして突起１４と係止部１５を有しており、また、回転盤１１の枢着軸１０まわりの回転に対し負荷を与える負荷付与部材としてばね１３が回転盤１１と底板９の間に配置されている。ハンドル部６には回転盤１１の回転に基づくエネルギ消費量を表示するカロリ消費メータ８が設置されている。【選択図】            図１
0003106688.tif 000002
【実用新案登録請求の範囲】
【請求項１】
中心部を枢着軸まわりに回転可能に支持されて底部材の上に配置された回転盤と、前記底部材から立ち上げて設けられた支柱の上部に上下位置を調節可能に取り付けられたハンドル部と、前記回転盤の上面に取付けられた一対の足つぼマットとを有し、前記回転盤は前記枢着軸まわりに左右両方向に所定角度だけ回転可能にするストッパと、同回転盤の前記枢着軸まわりの回転に対し抵抗を与える負荷付与部材を有することを特徴とする捩じり運動健康器具。
【請求項２】
前記ハンドルに前記回転盤の回転に基づくエネルギ消費量を表示するカロリ消費メータを設置したことを特徴とする請求項１に記載の捩じり運動健康器具。
【請求項３】
前記回転盤が回転する所定角度を左右９０°ずつとしたことを特徴とする請求項１又は2に記載の捩じり運動健康器具。
【考案の詳細な説明】
【技術分野】
【０００１】
本考案は、身体を捩じりながら足裏のつぼに刺激を与えるとともに身体の筋肉をほぐし、新陳代謝を高め、肩こり、筋肉の弛み、身体の歪みを解消し、また、脂肪を燃焼させることを可能とした捩じり運動健康器具に関する。
【背景技術】
【０００２】
従来提供されている運動機器には、足踏みによる変位に抵抗を与えるように構成した足踏み器を用いたハンドル付きの足踏み運動器具（特許文献１）や、クランク軸に負荷を与える制動装置を備えた自転車式の回転を与える方式のトレーニング装置（特許文献２）、また、足裏の指圧つぼを刺激するように指圧コマ付きの指圧ペダルを採用したサイクル運動器（特許文献３）、ハンドルの上下位置を調節可能にしたペダル踏み運動器（特許文献４）、ハンドル部に捉まって歩行運動を行えるようにしたもの（特許文献５）などが提案されている。
【０００３】
従来の運動機器は、上記した例に見られるように、足踏みによる上下動や、足踏みによる回転を与える方式のもの、又は歩行運動を行わせるものなどが主であって、身体を捩じりながら足裏のつぼに刺激を与えるとともに身体の筋肉をほぐし、新陳代謝を高め、肩こり、筋肉の弛み、身体の歪みを解消し、また、脂肪を燃焼させることを可能とした捩じり運動健康器具として実用上効果的なものは提供されていない。
【０００４】
従来は、足の上下運動や上下方向の回転運動、歩行運動などを行わせるもので、日常生活上はあまり行われない捩じり運動を身体に与えることによって身体の運動機能を高め健康増進を意図したような運動器具ないしは健康器具として実用上有効なものは見当たらないのが現状である。
【０００５】
【特許文献１】実用新案登録第３０７０５２９号公報
【特許文献２】特許第３３５４２０８号公報
【特許文献３】特開平８−３２２８９３号公報
【特許文献４】特開２０００−１４０１５２号公報
【考案の開示】
【考案が解決しようとする課題】
【０００６】
本考案は、身体を捩じりながら足裏のつぼに刺激を与えるとともに身体の筋肉をほぐし、新陳代謝を高め、肩こり、筋肉の弛み、身体の歪みを解消し、また、脂肪を燃焼させることを可能とした、構造簡単で、安価な健康器具としての、捩じり運動健康器具を提供することを課題としている。
【課題を解決するための手段】
【０００７】
前記した課題を解決するため、本考案は、中心部を枢着軸まわりに回転可能に支持されて底部材の上に配置された回転盤と、前記底部材から立ち上げて設けられた支柱の上部に上下位置を調節可能に取り付けられたハンドル部と、前記回転盤の上面に取付けられた一対の足つぼマットとを有し、前記回転盤は前記枢着軸まわりに左右両方向に所定角度だけ回転可能にするストッパと、同回転盤の前記枢着軸まわりの回転に対し抵抗を与える負荷付与部材を有することを特徴とする捩じり運動健康器具を提供する。
【０００８】
本考案による捩じり運動健康器具においては、前記したハンドルに前記回転盤の回転に基づくエネルギ消費量を表示するカロリ消費メータを設置した構成とすることができる。
【０００９】
本考案による捩じり運動健康器具においては、前記回転盤が回転する所定角度を左右９０°ずつとした構成とすることができる。
【考案の効果】
【００１０】
本考案による捩じり運動健康器具においては、運動者がハンドル部の高さを把持し易い位置に調節した後、ハンドル部に捉まって回転盤の足つぼマット上に足を載せて立ち、回転盤を枢着軸まわりに左右に所定角度ずつ回転させるよう足を使って左右に身体を捩じる。
【００１１】
この身体を左右に交互に捩じる運動によって、運動者は全身の筋肉をほぐし、肩こりの解消、下半身の引き締め、腕の筋肉の弛みの引き締め、ウエストの引き締め、ハンドル部を掴んでの足の踏ん張りによって手を握り締めることによる握力と腕の筋力付け、骨盤の歪みの調整が行われる。
また、身体の捩じり運動によって皮下脂肪を燃焼させ、便秘を解消させることができ、更には、捩じり運動を行うときに運動者は体重を足裏に受け、足裏は足つぼマットによってつぼ刺激を受けて新陳代謝を高め血液の流れを良くし、体質の改善を促進することができる。以上の運動は自分のペースで無理なく行なうことができる。
【００１２】
本考案による捩じり運動健康器具において、ハンドル部にカロリ消費メータを設置した構成のものでは、この捩じり運動健康器具を使って上記運動を行うときに、その運動量をハンドル部に取り付けられたカロリ消費メータによって確認することができ、計画的に運動を行なうことにより、健康を増進し、ストレスを解消して、疲労を回復することができる。
【００１３】
また、本考案による捩じり運動健康器具において、回転盤を左右９０°ずつ回転する構成としたものでは、１回転の運動量を大きくしながらも、身体に対して無理な負担を与えることなく、健康増進に役立つに足りる運動量を与えることができる。
【００１４】
このように、本考案による捩じり運動健康器具によれば、身体を捩じりながら足裏のつぼに刺激を与えるとともに身体の筋肉をほぐし、新陳代謝を高め、肩こり、筋肉の弛み、身体の歪みを解消し、また、脂肪を燃焼させることを可能とした、構造簡単で、安価な健康器具としての、捩じり運動健康器具を提供することができる。  
【考案を実施するための最良の形態】
【００１５】
以下、本考案の捩じり運動健康器具を、図１に示した一実施形態に基いて具体的に説明する。
図１において、１は底部材で、前方（図１において上方）が円形に曲げられたパイプ部材１−１と、パイプ部材１−１の両端部をつなぐ真直ぐなパイプ部材１−２によって構成されている。パイプ部材１−１の円形の先端部から中空の支柱２が立ち上げて設けられており、支柱２とパイプ部材１−１の間には左右にそれぞれ１本、計２本の補強支柱３が取り付けられている。
【００１６】
中空の支柱２の上端には、支柱２よりも小径のパイプ４が支柱２に挿入されており、その挿入位置はねじ部材５をねじ込むことによって固定することができる。パイプ４には左右にそれぞれハンドル部６が取り付けられている。ハンドル部６の先端部には、把持部となる滑り止め手巻きキャップ７が取り付けられている。
ハンドル部６の中央部には、後記する回転盤１１の回転に基づくエネルギ消費量を表示するカロリ消費メータ８が取り付けられている。カロリ消費メータは適宜の構成のものを選択して取り付ければよいので、その詳細については説明を省略する。
【００１７】
パイプ部材１−１の間には、底板９が取り付けられており、この底板９の上に、中心部を枢着軸１０のまわりに回転可能に支持された回転盤１１が取り付けられている。
回転盤１１の上面には一対の足つぼマット１２が取り付けられており、足つぼマット１２は、市販品の足踏み健康器具に見られるように、これを踏みつけたときに足裏のつぼを刺激するよう足裏のつぼに合わせて多数の突起が取り付けられている。
【００１８】
回転盤１１の下面と底板９の上面の間には、左右に１つづつ計２個のばね１３が介在されていて、回転盤１１が枢着軸１０のまわりに回転されて底板９との間に相対変位が生ずると、その一方が圧縮されるとともに、他方が引っ張られて枢着軸１０まわりの回転盤１１の回転に対して負荷（抵抗）を与える作用を行なうもので、本発明における負荷付与手段を構成している。
【００１９】
回転盤１１の下面には、突起１４が取り付けられており、底板９には回転盤１１が枢着軸１０まわりに回転されて左右に約９０度回転したときに回転盤１１の下面に取り付けられた突起１４が当接して回転盤１１がそれ以上回転されないようにして、回転盤１１に所定角度の回転を行なわせる係止部１５が左右対称に設けられている。この回転盤１１の下面に設けられた突起１４と底板９に取り付けられた係止部１５は本考案にいうストッパを構成している。
【００２０】
以上説明した図１に示す捩じり運動健康器具では、運動者がねじ部材５を緩めてハンドル部６の高さを把持し易い位置に調節してねじ部材５を締めてハンドル部６を固定した後、滑り止め手巻きキャップ７に捉まって回転盤１１の足つぼマット１２上に足を載せて立ち、回転盤１１を枢着軸１０まわりに左右に約９０度ずつ回転させるよう足を使って左右に身体を捩じる。
この捩じり運動中、運動者は体重を足裏に受け、足裏は足つぼマット１２によってつぼ刺激を受ける。
【００２１】
この身体を左右に交互に捩じる運動によって、運動者は全身の筋肉をほぐし、肩こりの解消、下半身の引き締め、腕の筋肉の弛みの引き締め、ウエストの引き締め、ハンドル部６を掴んでの足の踏ん張りによって手を握り締めることによる握力と腕の筋力付け、骨盤の歪みの調整、皮下脂肪の燃焼、便秘解消、更には、足裏つぼが刺激されることにより新陳代謝を高め血液の流れを良くし、体質の改善を促進することができる。
【００２２】
以上の運動は自分のペースで無理なく行なうことができ、その運動量はハンドル部６に取り付けられたカロリ消費メータ８によって確認することができ、計画的にこれを毎日１〜２回、例えば毎回１０〜１５分間行なうことにより、健康を増進し、ストレスを解消して、疲労を回復することができる。
【００２３】
以上、本考案による捩じり運動健康器具について一実施例に基づいて説明したが、本考案はこの実施例に限定されるものではなく、本出願の実用新案登録請求の範囲に記載された範囲において、種々の変更や変形を加えてよいことはいうませもない。
【００２４】
例えば、図示した器具では、枢着軸１０まわりの回転盤１１の回転に負荷（抵抗）を与える構成として、底板９と回転盤１１との間にばね１３を介在させ、そのばね１３の圧縮と引っ張りによって負荷を付与しているが、回転盤１１の回転に対して負荷を与える手段としては、ダッシュポットを底板９と回転盤１１との間に介在させることによる流体流れ抵抗を用いるようにした構成、磁石による吸引力と反発力を利用したもの、或いは、回転盤１１の回転による摩擦抵抗を利用した負荷付与手段などを適宜採用してよい。
また、図示した器具では、枢着軸１０まわりの回転盤１１の回転を所定角度に制限するためのストッパとして、回転盤１１に突起１４を取り付け、底板９に係止部１５を設けた構成を採用しているが、これに限らず、要は回転盤１１が枢着軸１０まわりに所定角度以上に回転しないよう回転盤１１の回転を所定角度で止める構成であれば適宜の手段を採用してよい。
【００２５】
また、図示した器具では、ハンドルを構成する支柱２が底部のパイプ部材１−１に固定されているが、適宜の嵌め合わせやねじ込み、或いはボルト止めなどによって、分解と組み立てを自由に行なえるようにして持ち運びや収納を容易に行なえるようにすることができる。
【図面の簡単な説明】
【００２６】
【図１】本考案の実施例による捩じり運動健康器具の構成を示す平面図。
【図２】本考案の実施例による捩じり運動健康器具の構成を示す側面図。
【符号の説明】
【００２７】
１      底部材
１−１  パイプ部材
１−２  パイプ部材
２      支柱
３      補強支柱
４      パイプ
５      ねじ部材
６      ハンドル部
７      滑り止め手巻きキャップ
８      カロリ消費メータ
９      底板
１０    枢着軸
１１    回転盤
１２    足つぼマット
１３    ばね
１４    突起
１５    係止部
【図１】
0003106688.tif 000003
【図２】
0003106688.tif 000004